(57)【要約】【課題】加熱対象物に接触する面のみ熱伝導性を高め、他の面は保温性を保持したラバーヒーターを提供する。【解決手段】本考案のラバーヒーター（１１）は、発熱体（１）の一方の面のゴム層は断熱性ゴム層（５）であり、他方の面のゴム層は熱伝導性ゴム層（３）である。加熱対象物に接触する面を熱伝導性ゴム層（３）で形成し、加熱対象物には接触しない面のゴム層は断熱性ゴム層（５）で形成することにより、加熱対象物には熱が伝わりやすく、それ以外の面、例えば空気と接触する面は放熱しにくく、発熱体からの熱は効率よく加熱対象物に伝熱できる。【選択図】図２
0003133051.tif 000002
【実用新案登録請求の範囲】
【請求項１】
発熱体と、前記発熱体の両面をゴム層で覆ったラバーヒーターであって、
前記ゴム層のうち、一方の面のゴム層は断熱性ゴム層であり、
他方の面のゴム層は熱伝導性ゴム層であることを特徴とするラバーヒーター。
【請求項２】
前記熱伝導性ゴム層は、熱伝導率０．７Ｗ／ｍ・Ｋ以上の熱伝導性ゴム層である請求項１に記載のラバーヒーター。
【請求項３】
前記発熱体と前記断熱性ゴム層との間には熱伝導率０．７Ｗ／ｍ・Ｋ未満の接着層を介在させ、
前記発熱体と前記熱伝導性ゴム層との間には熱伝導率０．７Ｗ／ｍ・Ｋ以上の接着層を介在させた請求項１又は２に記載のラバーヒーター。
【請求項４】
前記両面のゴム層の厚さは各々０．１〜１０ｍｍの範囲である請求項１〜３のいずれか１項に記載のラバーヒーター。
【請求項５】
前記両面のゴム層は、シリコーンゴム、フッ素ゴム、又はこれらのスポンジ体である請求項１〜４のいずれか１項に記載のラバーヒーター。
【考案の詳細な説明】
【技術分野】
【０００１】
本考案は面状発熱体の一種であるラバーヒーターに関する。
【背景技術】
【０００２】
ラバーヒーターは、電気抵抗式ヒーター、誘導発熱式ヒーターなどの発熱体（発熱エレメント）の表面を柔軟なゴム層で覆い、面状発熱体としたものである。その使い方は、例えば加熱対象物の保温、予熱、防湿、乾燥など様々な分野の加熱に使われる。例えば醸造タンクの加熱、熱硬化性樹脂の加熱処理、寒冷地の水道管の保温、生コンサイロのバルブ凍結防止用保温等様々な分野がある。
【０００３】
従来、ラバーヒーターは発熱体（発熱エレメント）の表面を断熱性ゴム層で覆って作製していた。発熱体（発熱エレメント）と断熱性ゴム層との間には、補強層としてガラス繊維織物を配置したり、均熱性を高めるために金属メッシュ層を配置する提案がある（特許文献１）。
【０００４】
しかし、発熱体（発熱エレメント）の表面を断熱性ゴム層で覆っているので、加熱対象物に熱が伝わりにくいという問題があった。
【特許文献１】特開平９−６３７５５号公報
【考案の開示】
【考案が解決しようとする課題】
【０００５】
本考案は、前記従来の問題を解決するため、加熱対象物に接触する面のみ熱伝導性を高め、他の面は保温性を保持したラバーヒーターを提供する。
【課題を解決するための手段】
【０００６】
本考案のラバーヒーターは、発熱体と、前記発熱体の両面をゴム層で覆ったラバーヒーターであって、前記ゴム層のうち、一方の面のゴム層は断熱性ゴム層であり、他方の面のゴム層は熱伝導性ゴム層であることを特徴とする。
【考案の効果】
【０００７】
本考案のラバーヒーターは、一方の面のゴム層は断熱性ゴム層であり、他方の面のゴム層は熱伝導性ゴム層とすることにより、加熱対象物に接触する面のみ熱伝導性を高め、他の面は保温性を保持したラバーヒーターとすることができる。すなわち、加熱対象物に接触する面を熱伝導性ゴム層で形成し、加熱対象物には接触しない面のゴム層は断熱性ゴム層で形成することにより、加熱対象物には熱が伝わりやすく、それ以外の面、例えば空気と接触する面は放熱しにくい。この結果、発熱体（発熱エレメント）からの熱は効率よく加熱対象物に伝熱できる。
【考案を実施するための最良の形態】
【０００８】
本考案のラバーヒーターは、発熱体（発熱エレメント）の両面はゴム層で覆い、加熱対象物に接触する面を熱伝導性ゴム層で形成し、加熱対象物に接触しない面のゴム層は断熱性ゴム層で形成する。
【０００９】
発熱体（発熱エレメント）は、電気抵抗式ヒーター、誘導発熱式ヒーターなどを使用できる。ヒーターの形状は、箔又は線等どのようなものであっても良い。
【００１０】
熱伝導性ゴム及び断熱性ゴムは、シリコーンゴム、フッ素ゴム、又はこれらのスポンジ体であることが好ましい。これらのゴムは耐熱性が高いからである。例えばシリコーンゴムの耐熱性は１８０℃であり、この温度までは使用できる。
【００１１】
熱伝導性ゴムは、ゴム成分１００重量部に対して、酸化アルミニウムなどの熱伝導性フィラーを１００〜３０００重量部と、白金系等の架橋触媒を配合し、シート状に成形し、加熱架橋することにより得られる。このようにして得られた熱伝導性ゴム層は、熱伝導率０．７Ｗ／ｍ・Ｋ以上の熱伝導性ゴム層となる。市販品としては、熱伝導性シリコーンゴムとして、富士高分子工業社製商品名“サーコン”シリーズがある。この製品の熱伝導率は、約２６〜６９×１０-4ｃａｌ／ｃｍ・ｓｅｃ・℃の範囲である。
【００１２】
断熱性ゴムは、通常のシリコーンゴム、フッ素ゴム、又はこれらのスポンジ体を使用できる。例えば、一般のシリコーンゴムの熱伝導率は、約３．７〜５．４×１０-4ｃａｌ／ｃｍ・ｓｅｃ・℃の範囲である。
【００１３】
発熱体（発熱エレメント）と断熱性ゴム層及び熱伝導性ゴム層との一体化は、発熱体（発熱エレメント）の表面で断熱性ゴムの原料コンパウンドシート及び熱伝導性ゴムの原料コンパウンドシートを直接貼り合せて加熱加硫する場合は、直接一体化ができ、接着剤は不要である。断熱性ゴムシート及び熱伝導性ゴムシートを加熱加硫した後に一体化する場合は、発熱体（発熱エレメント）と断熱性ゴム層との間には熱伝導率０．７Ｗ／ｍ・Ｋ未満の接着層を介在させ、発熱体（発熱エレメント）と熱伝導性ゴム層との間には熱伝導率０．７Ｗ／ｍ・Ｋ以上の接着層を介在させて一体化するのが好ましい。断熱ゴム層側の断熱性を保持し、熱伝導性ゴム層側の熱伝導性を高く維持するためである。接着層としては、接着剤を使用しても良いし、粘着剤を使用することもでき、あるいは両面接着テープを使用することもできる。
【００１４】
前記両面のゴム層の厚さは各々０．１〜１０ｍｍの範囲であることが好ましい。
【００１５】
なお、本考案においては、任意の部分に補強層としてガラス繊維織物を配置することもできるし、均熱性を高めるために金属メッシュ層を配置してもよい。
【実施例】
【００１６】
以下実施例を用いて説明する。なお、本考案は以下の実施例に限定されるものではない。
【００１７】
（実施例１）
図１に示すように発熱体（発熱エレメント）１の下面に熱伝導性シリコーン樹脂系接着剤２（東レ・ダウコーニング社製商品名“ＳＥ−４４８６”、“ＳＥ−４４１０”、“ＫＥ−３４９３”、“７９２”のいずれか）を薄く塗布し、その上に熱伝導性ゴム層３（厚さ０．４５ｍｍ、富士高分子工業社製商品名“サーコンＧＳＲ”（熱伝導率６９．２×１０-4ｃａｌ／ｃｍ・ｓｅｃ・℃）を貼りあわせた。前記熱伝導性接着剤の替わりに熱伝導性両面テープ（東レ・ダウコーニング社製商品名“７０９２”）を使用することもできる。
【００１８】
発熱体（発熱エレメント）１の上面には断熱性シリコーン樹脂系接着剤４（東レ・ダウコーニング社製商品名“ＳＥ−９１８６”、“ＳＥ−１７０１”、“ＫＥ−４８９８”のいずれか）を薄く塗布し、その上に断熱性シリコーンゴム層５（熱伝導率約４×１０-4ｃａｌ／ｃｍ・ｓｅｃ・℃）を貼りあわせた。
【００１９】
その後、厚さ方向に軽く圧力をかけた状態で１２０℃に加熱して６０分間保持し、全体を一体化した。
【００２０】
得られたラバーヒーター１０は、加熱対象物には熱が伝わりやすく、それ以外の面、例えば空気と接触する面は放熱しにくく、発熱体（発熱エレメント）からの熱は効率よく加熱対象物に伝熱できることが確認できた。電力ロスも少なかった。
【００２１】
（実施例２）
図２に示すように発熱体（発熱エレメント）１の下面に熱伝導性ゴム層３（厚さ０．４５ｍｍ、富士高分子工業社製商品名“サーコンＧＳＲ”（熱伝導率６９．２×１０-4ｃａｌ／ｃｍ・ｓｅｃ・℃）の未加硫シートを貼りあわせ、上面には断熱性シリコーンゴム層５（厚さ５ｍｍ、熱伝導率約４×１０-4ｃａｌ／ｃｍ・ｓｅｃ・℃）の未加硫シートを貼りあわせ、１２０℃に加熱して２０分間加熱加硫し、全体を一体化した。
【００２２】
得られたラバーヒーター１１は、加熱対象物には熱が伝わりやすく、それ以外の面、例えば空気と接触する面は放熱しにくく、発熱体（発熱エレメント）からの熱は効率よく加熱対象物に伝熱できることが確認できた。電力ロスも少なかった。
【００２３】
［産業上の利用可能分野］
本考案のラバーヒーターは、例えば醸造タンクの加熱器、熱硬化性樹脂の加熱処理器、寒冷地の水道管の保温具、生コンサイロのバルブ凍結防止用保温具、樹脂フィルムのブレス加熱器、生ゴミ処理層の加熱器、オイルの凝固防止用加熱器、スチーム糊除去装置の結露防止器、排気管及び金属配管などの加熱器、スープケトルの加熱器、太陽電池パネル凍結防止器、インスタントスープの保温器、滅菌タンク・減菌タンクの予熱器、冷凍庫内のコンベアセンサー凍結防止器等様々な分野がある。
【図面の簡単な説明】
【００２４】
【図１】図１は本考案の実施例１に係るラバーヒーターの断面図を示す。
【図２】図２は本考案の実施例１に係るラバーヒーターの断面図を示す。
【符号の説明】
【００２５】
１  発熱体（発熱エレメント）
２  熱伝導性接着剤層
３  熱伝導性ゴム層
４  断熱性接着剤層
５  断熱性ゴム層
１０，１１  ラバーヒーター
【図１】
0003133051.tif 000003
【図２】
0003133051.tif 000004